(57)【特許請求の範囲】
【請求項１】
開閉体を開閉制御する開閉装置における、無線信号の受信側の無線信号通信装置において、
常設アンテナと、
増設アンテナユニットを接続可能な１又は複数のアンテナ増設用コネクタと、
上記増設アンテナユニット又は上記常設アンテナが捕捉した無線信号が与えられ、上記増設アンテナユニット及び上記常設アンテナのいずれが捕捉したかを問わず、捕捉された無線信号に対して復調処理を行って復調信号を出力する、上記各アンテナ増設用コネクタに接続された復調回路と、
閉成状態時に上記常設アンテナが捕捉した無線信号を上記復調回路へ与える一方、全て又は一部の上記アンテナ増設用コネクタに増設アンテナユニットが接続されたことを一条件として、開放状態に変化して、上記常設アンテナが捕捉した無線信号を上記復調回路に与えないようにするアンテナ制限手段と、
開閉体駆動ユニットに接続されている信号線の先端に設けられているコネクタと係合する対信号線コネクタを有し、上記開閉体駆動ユニットに対し、上記開閉体の開動作、閉動作又は停止動作を表す開閉体駆動信号を送信する開閉体駆動信号送信回路と、
上記復調信号を解読し、指示されている上記開閉体の動作内容を認識し、認識結果に応じて上記開閉体駆動信号送信回路による送信動作を制御する受信制御回路と
を有することを特徴とする開閉装置の無線信号通信装置。
【請求項２】
上記アンテナ制限手段は、上記アンテナ増設用コネクタに増設アンテナユニットが接続されたときに位置変化をおこす可動部材と、上記常設アンテナからの無線信号の電気的経路上に設けられ、上記可動部材の位置変化によって上記電気的経路を遮断する開閉部材とでなることを特徴とする請求項１に記載の開閉装置の無線信号通信装置。
【請求項３】
上記アンテナ制限手段は、上記アンテナ増設用コネクタに増設アンテナユニットが接続されたことを検知する装着センサと、上記常設アンテナからの無線信号の電気的経路上に設けられ、上記装着センサからの検知信号により開放動作するスイッチング素子とでなることを特徴とする請求項１に記載の開閉装置の無線信号通信装置。
【請求項４】
上記常設アンテナが当該通信装置の筐体内に設けられている内蔵アンテナであり、
上記アンテナ増設用コネクタが、当該通信装置の筐体外に位置するように上記増設アンテナユニットを接続し得るものである
ことを特徴とする請求項１〜３のいずれかに記載の開閉装置の無線信号通信装置。
【発明の詳細な説明】
【０００１】
【発明の属する技術分野】
本発明は開閉装置の無線信号通信装置に関し、例えば、シャッター、ドア、窓、オーバーヘッドドア、門扉、ゲート（駐車場などのゲート）、ロールスクリーン（例えば遮光膜）、ブラインド、オーニング装置などを遠隔操作対象としたリモコンシステムのリモコン送信機又はリモコン受信機に適用し得るものである。
【０００２】
【従来の技術】
開閉体の開閉制御（なお、施錠、解錠機能を有する開閉体であれば、開閉制御に加え、又は、開閉制御に代え、施錠、解錠制御をも開閉制御の用語に含むものとする）をリモコン送信機を用いて指示できるようにした開閉装置も多く提案されている。
【０００３】
このようなシャッター用のリモコンシステムでは、シャッター近傍の壁面や、シャッターの収納ボックスの表面又は内部などに、リモコン送信機からの電波を捕捉して処理するリモコン受信機が設けられている。
【０００４】
図５は、従来のリモコンシステムの構成を示すブロック図である。リモコンシステムは、リモコン送信機１０及びリモコン受信機とでなり、リモコン受信機は、受信アンテナ１１及び受信ユニット１３とでなる。
【０００５】
リモコン送信機１０からの電波を受信アンテナ１１が捕捉して変換した電気信号は、受信アンテナ１１及び受信ユニット１３に対してコネクタ接続されている、例えば３ｍ〜８ｍ程度の同軸ケーブル１２を介して、受信ユニット１３に与えられる。
【０００６】
受信ユニット１３において、受信アンテナ１１側からの電気信号は、復調部１４によって復調され、受信制御部１５によって、その復調信号が解読されて、シャッターの開、閉又は停止などを指示する開閉制御信号が形成されて、両端共にコネクタを有するケーブル１６を介して、シャッター制御ユニット１７に与えられる。
【０００７】
シャッター制御ユニット１７においては、シャッター制御部１８が、受信ユニット１３からの開閉制御信号の内容（開、閉又は停止）に基づいて、シャッターの開、閉又は停止を実現させるモータ駆動信号を形成し、モータ駆動回路１９は、そのモータ駆動信号に応じて、図示しないモータに対して所望の動作（正回転、逆回転、回転停止など）を実行させる。
【０００８】
ここで、リモコン受信機として、受信アンテナ１１が図５に示したような受信ユニット１３に外付けで設けられたものもあれば、図示は省略しているが、受信アンテナ１１が、例えば復調部１４や受信制御部１５が搭載されたプリント配線基板上に銅箔などのパターン（面状アンテナ）として実装されたものなどもある。
【０００９】
後者の受信アンテナ（内蔵アンテナ）１１を用いたものは、リモコン送信機及びリモコン受信機間の交信距離が短くて良いシャッターの場合には、今後主流になると考えられる。
【００１０】
【発明が解決しようとする課題】
しかしながら、従来のリモコンシステムは、以下のような種々の課題を有するものであった。
【００１１】
従来のリモコン受信機は、リモコン送信機との実際の交信距離は、受信アンテナの受信感度にかなり依存している。また、リモコン送信機と交信し得る方向も、受信アンテナの指向性にかなり依存している。
【００１２】
そのため、リモコン受信機の取付位置によっては、障害物の影響などを受け、受信アンテナが同じであっても、交信可能な距離が短くなることもあり、交信し得る方向も狭くなることがある。
【００１３】
また、リモコンシステムが定格で定めている以上の距離からでも、リモコン送信機によって、シャッターを制御したいユーザも存在する。
【００１４】
外付けの受信アンテナを適用している場合であれば、その位置を適切に選定したりすることにより、受信距離や受信可能方向を満足し得るものに調整し得る。しかし、面状アンテナなどの内蔵アンテナを受信アンテナとして用いているリモコン受信機では、交信距離や方向などが不満足な場合にも対応が取りにくいものである。また、外付けの受信アンテナを適用している場合であっても、上述した要求に応えたり、上述した課題を解決したりするには、限界があり、より一層の受信感度の要求などには応えることができない。
【００１５】
復調部におけるＡＧＣ機能などで、受信感度を向上させようとしても限界があると共に、回路構成などが複雑になる。
【００１６】
また逆に、常設のアンテナでは、利用者の所望する距離以上の場所からの指示であっても、受信アンテナの能力によっては、有効な通信が実行されてしまう。
【００１７】
本発明は、以上の点を考慮してなされたものであり、交信距離や方向などの交信能力に対する変更要求に簡易に応じられる開閉装置の無線信号通信装置を提供しようとしたものである。
【００１８】
【課題を解決するための手段】
かかる課題を解決するため、本発明は、開閉体を開閉制御する開閉装置における、無線信号の受信側の無線信号通信装置において、（１）常設アンテナと、（２）増設アンテナユニットを接続可能な１又は複数のアンテナ増設用コネクタと、（３）上記増設アンテナユニット又は上記常設アンテナが捕捉した無線信号が与えられ、上記増設アンテナユニット及び上記常設アンテナのいずれが捕捉したかを問わず、捕捉された無線信号に対して復調処理を行って復調信号を出力する、上記各アンテナ増設用コネクタに接続された復調回路と、（４）閉成状態時に上記常設アンテナが捕捉した無線信号を上記復調回路へ与える一方、全て又は一部の上記アンテナ増設用コネクタに増設アンテナユニットが接続されたことを一条件として、開放状態に変化して、上記常設アンテナが捕捉した無線信号を上記復調回路に与えないようにするアンテナ制限手段と、（５）開閉体駆動ユニットに接続されている信号線の先端に設けられているコネクタと係合する対信号線コネクタを有し、上記開閉体駆動ユニットに対し、上記開閉体の開動作、閉動作又は停止動作を表す開閉体駆動信号を送信する開閉体駆動信号送信回路と、（６）上記復調信号を解読し、指示されている上記開閉体の動作内容を認識し、認識結果に応じて上記開閉体駆動信号送信回路による送信動作を制御する受信制御回路とを有することを特徴とする。
【００１９】
ここで、上記アンテナ制限手段が、上記アンテナ増設用コネクタに増設アンテナユニットが接続されたときに位置変化をおこす可動部材と、無効化対象の上記アンテナの電気的経路上に設けられ、上記可動部材の位置変化によって上記電気的経路を遮断する開閉部材とでなることが好ましい。
【００２０】
また、上記アンテナ制限手段が、上記アンテナ増設用コネクタに増設アンテナユニットが接続されたことを検知する装着センサと、無効化対象の上記アンテナの電気的経路上に設けられ、上記装着センサからの検知信号により開放動作するスイッチング素子とでなることも好ましい。
【００２１】
さらに、上記常設アンテナが当該通信装置の筐体内に設けられている内蔵アンテナであり、上記アンテナ増設用コネクタが、当該通信装置の筐体外に位置するように上記増設アンテナユニットを接続し得るものであることも好ましい。
【００２２】
【発明の実施の形態】
（Ａ）第１の実施形態
以下、本発明による開閉装置の無線信号通信装置を、シャッター用のリモコンシステムのリモコン受信機に適用した第１の実施形態を図面を参照しながら詳述する。
【００２３】
ここで、図１が、第１の実施形態のリモコン受信機（受信ユニット）２０を示すブロック図である。
【００２４】
図１において、第１の実施形態のリモコン受信機２０は、内蔵アンテナ２１、復調回路２２、受信制御回路２３、リレー送信回路２４及び電源回路２５を有すると共に、外付アンテナユニット３０と接続可能なアンテナ増設用コネクタ２６や開閉部材２８などを有する。なお、図１は、外付アンテナユニット３０をアンテナ増設用コネクタ２６に接続した状態で示している。
【００２５】
内蔵アンテナ２１は、図示しないリモコン送信機からの放射電波を捕捉し、電気信号として、閉成状態にある開閉部材２８を介して復調回路２２に与えるものであり、着脱自在であっても良いが、常設アンテナである。内蔵アンテナ２１は、基本的には、この内蔵アンテナ２１だけでリモコン受信機２０の電波捕捉機能を達成できるものである。
【００２６】
この内蔵アンテナ２１としては、以下に例示するいずれの形態のものであっても良い。例えば、復調回路２２、受信制御回路２３、リレー送信回路２４及び電源回路２５などが搭載されたプリント配線基板上に、配線パターン（例えば銅箔パターン）と同様に形成された面状のものであっても良い。また例えば、銅片などの金属片を繋ぎ合わせたり、銅板などを打ち抜いたりして形成したものであっても良い（この場合、プリント配線基板上に設けている必要はない）。さらに例えば、円柱や円筒などの棒体で構成されたものであっても良い（この場合も、プリント配線基板上に設けている必要はない）。また、ループアンテナ、ダイポールアンテナなど、いずれの形式に従うものであっても良い。
【００２７】
復調回路２２は、例えば、内蔵アンテナ２１や外付アンテナユニット３０などとのインピーダンス整合回路や前置増幅回路（フィルタ機能も担っている）や復調回路本体などを有し、内蔵アンテナ２１や外付アンテナユニット３０などからの電気信号（無線周波数帯信号）を復調し、図示しないリモコン送信機が送信しようとしたベースバンド信号（デジタル信号）を得て受信制御回路２３に与えるものである。なお、復調回路２２にアンテナからの受信電気信号が入力され、復調処理している際には、復調回路２２からの駆動信号によって、ＬＥＤなどでなる受信発光素子２２ａが点灯又は点滅されるようになされている。
【００２８】
ここで、復調回路２２は、例えば、図２（Ａ）に示すようなトランス３５を適宜の位置に内蔵している。トランス３５は、２個の１次巻線３５Ａ、３５Ｂと１個の２次巻線３５Ｃとを有している。一方の１次巻線３５Ａは、内蔵アンテナ２１との給電線に直接、又は、その給電線に、ある処理回路（例えば増幅回路など）を通じて接続されている。他方の１次巻線３５Ｂは、外付アンテナユニット３０との給電線に直接、又は、その給電線に、ある処理回路（例えば増幅回路など）を通じて接続されている。
【００２９】
すなわち、このトランス３５の機能により、内蔵アンテナ２１側からの電気信号も、外付アンテナユニット３０側からの電気信号も、共通の２次巻線３５Ｃに伝達され、これ以降、区別することなく、同一の処理が施されるようになっている。
【００３０】
又は、復調回路２２は、例えば、図２（Ｂ）に示すような結線部分３６を適宜の位置に有する。この結線部分３６は、内蔵アンテナ２１側との結線部３６Ａと、外付アンテナユニット３０側との結線部３６Ｂと、結線部３６Ａ及び３６Ｂを統合している結線部３６Ｃとを有している。
【００３１】
すなわち、この結線部分３６の機能により、内蔵アンテナ２１側からの電気信号も、外付アンテナユニット３０側からの電気信号も、共通の結線部３６に伝達され、これ以降、区別することなく、同一の処理が施されるようになっている。
【００３２】
受信制御回路２３は、当該リモコン受信機２０の各部の制御を行うものであり、例えば、マイクロコンピュータで構成されている。受信制御回路２３は、復調回路２２からの復調信号を解読して、復調信号に含まれているＩＤが内蔵するＩＤメモリに登録されているか否かに基づいて、送信元のリモコン送信機が当該シャッターに対する指示を出せるものであるかを確認した後、指示されているシャッターの動作内容、すなわち、シャッターの開動作、閉動作又は停止動作を認識し、その認識結果に応じて、リレー送信回路２４を駆動するものである。受信制御回路２３は、リレー送信回路２４を駆動する状況では、ＬＥＤなどでなる制御動作発光素子２３ａを点灯又は点滅させる。
【００３３】
なお、受信制御回路２３は、送信元のリモコン送信機が当該シャッターに対する指示を出せないものである場合などには、その指示内容を無視する。
【００３４】
リレー送信回路２４は、図示しないシャッター駆動ユニットに対し、シャッターの開動作、閉動作又は停止動作を表すシャッター駆動信号を送信するものである。リレー送信回路２４は、複数のリレー及びリレー接点を有し、受信制御回路２３による制御によって、所望する動作用のリレーが駆動してリレー接点を閉成させることを通じて、図示しないシャッター駆動ユニットに対し、シャッターの開動作、閉動作又は停止動作を表すシャッター駆動信号を送信するものである。
【００３５】
リレー送信回路２４には関連してコネクタ２４ｂが設けられており、このコネクタ２４ｂには、当該リモコン受信機２０とシャッター駆動ユニットとを結ぶ信号線の一方のコネクタ（図示せず）が接続される。
【００３６】
なお、シャッター駆動信号の送信回路は、リレーを利用しないものであっても良い。
【００３７】
また、当該リモコン受信機（受信ユニット）２０と、シャッター駆動ユニットとが１ユニット化されていても良いことは勿論である。
【００３８】
電源回路２５は、シャッター駆動ユニット側から電源供給線を介して供給された電源を、当該リモコン受信機２０内の各部用の電源に変換して各部に供給するものである。電源回路２５は、シャッター駆動ユニット側から電源供給を受けているときには、ＬＥＤなどでなる電源発光素子２５ａを点灯させる。
【００３９】
また、電源回路２５には関連してコネクタ２５ｂが設けられており、このコネクタ２５ｂには、上述した電源供給線の一方のコネクタ（図示せず）が接続される。
【００４０】
なお、リモコン受信機２０は電池などの内部電源で動作するものであっても良く、外部電源と内部電源とを併用するものであっても良い。
【００４１】
図示しないシャッター駆動ユニットは、例えば、シャッターを上下動させるためのモータを中心に構成されているものであり、当該リモコン受信機２０からのシャッター駆動信号に応じて、モータに対して所望の動作（正回転、逆回転、回転停止など）を実行させ、シャッターを開動作、閉動作、停止動作させる。
【００４２】
第１の実施形態のリモコン受信機２０は、以上のような従来と同様な構成に加えて（トランス３５は従来には存在しない）、外付アンテナユニット３０と接続可能なアンテナ増設用コネクタ２６や開閉部材２８を有する。
【００４３】
アンテナ増設用コネクタ２６は、復調回路２２に対して信号線２７を介して接続されている。
【００４４】
このアンテナ増設用コネクタ２６には、増設アンテナユニットとしての外付アンテナユニット３０が接続可能である。
【００４５】
外付アンテナユニット３０は、詳細構成の図示は省略するが、例えば、以下のような構成のいずれでも良い。
【００４６】
第１は、アンテナ本体と、その端部に設けられている、アンテナ増設用コネクタ２６と係合するコネクタとでなるものである。第２は、アンテナ本体と、それから延長されているケーブル（例えば、同軸ケーブル）と、ケーブルの端部に設けられている、アンテナ増設用コネクタ２６と係合するコネクタとでなるものである。ここで、外付アンテナユニット３０のアンテナ本体は、ロッドアンテナ、ループアンテナ、ダイポールアンテナなど、いずれの形式に従うものであっても良い。外付アンテナユニット３０のアンテナ本体は、アンテナエレメントが伸縮し得るものであっても良く、回動し得て、主たる指向方向の向きを変更し得るものであっても良い。
【００４７】
アンテナ増設用コネクタ２６は、外付アンテナユニット３０が取り付けられていない状態で、雨水や塵埃が当該リモコン受信機２０の内部に入り込むことを防止できるように、例えば、蓋体などを被冠できる形状にしておくことが好ましい。勿論、蓋体形状も、アンテナ増設用コネクタ２６の形状（特に、開口部形状）に合わせておくことを要する。また、アンテナ増設用コネクタ２６は、外付アンテナユニット３０が取り付けられていない状態でリモコン操作者などの邪魔になるのを防止するため、筐体などの内側に窪んでいることも好ましい。
【００４８】
アンテナ増設用コネクタ２６は、外付アンテナユニット３０が取り付けられたときに、その取付け力の作用を受けて回動や直動などの位置変化をおこす可動部材２６ａを有する。
【００４９】
一方、内蔵アンテナ２１との給電線上には、開閉部材２８が設けられている。図１では、イメージ図で示しているが、開閉部材２８は、一対の給電線のそれぞれに設けられたものであっても良く、一対の給電線の一方に設けられたものであっても良い。
【００５０】
開閉部材２８は、可動部材２６ａがホームポジジョンにあるときに（外付アンテナユニット３０が取り付けられていないときに）、閉成していて、内蔵アンテナ２１及び復調回路２２間を導通させている。これに対して、開閉部材２８は、可動部材２６ａが位置変化をおこしたときに（外付アンテナユニット３０が取り付けられたときに）、開放して、内蔵アンテナ２１及び復調回路２２間を電気的に遮断する。
【００５１】
なお、可動部材２６ａや開閉部材２８は、位置復帰のための構成（例えば弾性部材）を有し、外付アンテナユニット３０が取り付けられている状態から離脱されたときに、位置を復帰させるようになされている。
【００５２】
以上のような第１の実施形態のリモコン受信機２０は、基本的には、外付アンテナユニット３０が設けられずに、常設アンテナである内蔵アンテナ２１だけを利用するものである。
【００５３】
ここで、設置時に受信感度を高めたい要求があった場合や、また、使用していて受信感度を高めたい要求が生じた場合などには、外付アンテナユニット３０がアンテナ増設用コネクタ２６に取り付けられる。
【００５４】
このとき、可動部材２６ａが位置変化して開閉部材２８が開放状態になり、内蔵アンテナ２１が復調回路２２から切り離されて、内蔵アンテナ２１に代えて外付アンテナユニット３０が有効となる。これにより、外付アンテナユニット３０からの電気信号だけが復調回路２２で処理される。
【００５５】
以上では、受信感度を高めるために、外付アンテナユニット３０を増設する場合を説明したが、広く、受信感度を変更する（高める場合だけでなく低める場合を含む）ために外付アンテナユニット３０を設けても良い。ここで、受信感度を低める場合において、復調回路２２が内蔵アンテナ２１からの信号入力を拒否することで外付アンテナユニット３０からの信号だけを有効として受信感度を低めても良い。
【００５６】
第１の実施形態のリモコン受信機によれば、アンテナ増設用コネクタ２６を備えているので、外付アンテナユニット３０を設けることにより、リモコン送信機及びリモコン受信機間の交信能力の変更要求に簡易に応えることができる。
【００５７】
また、外付アンテナユニット３０を取り付けた際には、内蔵アンテナ２１を有効ではないようにしたので、外付アンテナユニット３０からの電気信号の処理に、内蔵アンテナ２１からの電気信号が影響を与えることを防止し得る。
【００５８】
（Ｂ）第２の実施形態
次に、本発明による開閉装置の無線信号通信装置を、シャッター用のリモコンシステムのリモコン受信機に適用した第２の実施形態を図面を参照しながら詳述する。
【００５９】
ここで、図３が、第２の実施形態のリモコン受信機（受信ユニット）２０Ａを示すブロック図であり、上述した第１の実施形態に係る図１との同一、対応部分には同一符号を付して示している。この図３も、外付アンテナユニット３０が増設されている状態で示している。
【００６０】
上述した第１の実施形態は、外付アンテナユニット３０が設けられた際に、機構的要素である可動部材２６ａ及び開閉部材２８の作用により、内蔵アンテナ２１を復調回路２２から切り離すものであったが、この第２の実施形態は、外付アンテナユニット３０が設けられた際に、電気的要素の作用により、内蔵アンテナ２１を復調回路２２から切り離すようにしたものである。
【００６１】
この第２の実施形態のリモコン受信機２０Ａにおいては、外付アンテナユニット３０を増設し得るアンテナ増設用コネクタ２６に関連して増設検知センサ２６ｂが設けられ、また、内蔵アンテナ２１との給電線上にはスイッチング素子（例えばトランジスタ）２８ａが設けられている。
【００６２】
すなわち、第２の実施形態では、第１の実施形態の可動部材２６ａ及び開閉部材２８に代え、増設検知センサ２６ｂ及びスイッチング素子２８ａが設けられている。
【００６３】
以上の点を除いた他の構成は、上述した第１の実施形態と同様であり、その説明は省略する。
【００６４】
なお、この第２の実施形態の場合、外付アンテナユニット３０は、アンテナ本体と、それから延長されているケーブル（例えば、同軸ケーブル）とでなるものでも良く、この場合には、アンテナ増設用コネクタ２６は、被覆がはがされたケーブル端部を取り付けられるものである。
【００６５】
第２の実施形態のリモコン受信機２０Ａも、基本的には、内蔵アンテナ２１だけを利用するものであるが、受信感度を高めたい要求があった場合などには、外付アンテナユニット３０がアンテナ増設用コネクタ２６に取り付けられる。
【００６６】
このとき、増設検知センサ２６ｂが、外付アンテナユニット３０が取り付けられたことを検知して増設検知信号を出力し、その検知信号を制御端子に受けたスイッチング素子２８ａが開放動作して、内蔵アンテナ２１を復調回路２２から切り離す。これにより、内蔵アンテナ２１に代えて外付アンテナユニット３０が有効となり、外付アンテナユニット３０からの電気信号だけが復調回路２２で処理される。
【００６７】
第２の実施形態のリモコン受信機によっても、アンテナ増設用コネクタ２６を備えているので、外付アンテナユニット３０を設けることにより、リモコン送信機及びリモコン受信機間の交信能力の変更要求に簡易に応えることができ、また、外付アンテナユニット３０を取り付けた際には、内蔵アンテナ２１を有効でなくすようにしたので、外付アンテナユニット３０からの電気信号の処理に、内蔵アンテナ２１からの電気信号が影響を与えることを防止し得る。
【００６８】
（Ｃ）第３の実施形態
次に、本発明による開閉装置の無線信号通信装置を、シャッター用のリモコンシステムのリモコン送信機に適用した第３の実施形態を図面を参照しながら詳述する。
【００６９】
ここで、図４が、第３の実施形態のリモコン送信機４０を示すブロック図である。図４においても、外付アンテナユニット５０を増設している状態で示している。
【００７０】
図４において、第３の実施形態のリモコン送信機４０は、操作部４１、制御回路４２、送信回路４３、内蔵アンテナ４４、報知部４５、電池４６、アンテナ増設用コネクタ４７及びスイッチング素子４８を有する。
【００７１】
操作部４１は、シャッターの開動作、停止動作又は閉動作などを指示するためのキーを備え、ユーザの操作に応じて、シャッターの開動作、閉動作又は停止動作の指示信号を制御回路４２に与えるものである。
【００７２】
制御回路４２は、当該リモコン送信機４０の全体を制御するものであり、例えば、マイクロコンピュータで構成されている。
【００７３】
制御回路４２は、操作部４１から、開動作、閉動作又は停止動作の指示信号を受けると、原送信信号（例えばシリアル送信データ）を組み立てて送信回路４３に与えるものである。また、制御回路４２は、操作部４１から、開動作、閉動作又は停止動作の指示信号を受けたときには、指示を受け付けたことを報知部４５に報知動作させる。
【００７４】
送信回路４３は、原送信信号を変調して無線周波数帯の信号（無線送信信号）にして、内蔵アンテナ４４や外付アンテナユニット５０などから空間に放射させるものである。送信回路４３には、必要に応じて、バンドパスフィルタや電力増幅器が内蔵されている。なお、原送信信号の変調方式は任意であるが、例えば、ＡＳＫ変調方式やＦＳＫ変調方式を適用し得る。送信回路４３は、無線送信信号を、内蔵アンテナ４４側及び外付アンテナユニット５０側に向かうようにさせる信号分岐構成（図２の構成の対称的構成）が内蔵されている。
【００７５】
内蔵アンテナ４４は、上述のように、無線送信信号を空間に放射させるものであり、常設アンテナである。この内蔵アンテナ４４は、以下に例示するいずれの形態のものであっても良い。例えば、制御回路４２や送信回路４３などが搭載されたプリント配線基板上に、配線パターン（例えば銅箔パターン）と同様に形成された面状のものであっても良い。また例えば、銅片などの金属片を繋ぎ合わせたり、銅板などの打ち抜いて形成したものであっても良い（この場合、プリント配線基板上に設けている必要はない）。さらに例えば、円柱や円筒などの棒体で構成されたものであっても良い（この場合も、プリント配線基板上に設けている必要はない）。また、ループアンテナ、ダイポールアンテナなど、いずれの形式に従うものであっても良い。
【００７６】
報知部４５は、制御回路４２の制御下で、操作部４１からの開動作、閉動作又は停止動作の指示信号を受け付けたことを、利用者に認識させる報知動作を行うものである。報知部４５は、例えば、操作部４１の各キーに対応した発光素子であって点灯や点滅で視覚的に報知させるものであっても良く（液晶ディスプレイなどのキャラクタなどによる視覚的報知でも良い）、また例えば、ブザーやスピーカであって聴覚的に報知させるものであっても良い。
【００７７】
電池４６は、当該リモコン送信機４０の各部に対する動作電源を供給するものである。
【００７８】
アンテナ増設用コネクタ４７は、送信回路４３に接続されており、外付アンテナユニット５０を増設可能とするものである。
【００７９】
このアンテナ増設用コネクタ４７に接続される外付アンテナユニット（増設アンテナユニット）５０は、例えば、アンテナ本体と、その基端部に設けられている、アンテナ増設用コネクタ４７と係合するコネクタとでなるものである。アンテナ本体は、ロッドアンテナ、ループアンテナ、ダイポールアンテナなどのいずれの形式のものでも良いが、当該リモコン送信機４０がユーザに携帯されるものを考慮すると、ロッドアンテナが好ましいであろう。なお、外付アンテナユニット５０は、アンテナエレメントが伸縮し得るものであっても良い。
【００８０】
アンテナ増設用コネクタ４７は、外付アンテナユニット５０が取り付けられていない状態で、雨水や塵埃が当該リモコン送信機４０の内部に入り込むことを防止できるように、例えば、蓋体などが被冠されている。勿論、蓋体形状も、アンテナ増設用コネクタ４７の形状（特に、開口部形状）に合わせておくことを要する。また、アンテナ増設用コネクタ４７は、外付アンテナユニット５０が取り付けられていない状態でリモコン操作者などの邪魔になるのを防止するため、筐体などの内側に窪んでいることも好ましい。
【００８１】
なお、送信回路４３内の電力増幅回路の特性（増幅率）などを、外付アンテナユニット５０が増設されている状態と増設されていない状態とで切り替えるようにしても良い。
【００８２】
増設検知センサ４７ａは、外付アンテナユニット５０がアンテナ増設用コネクタ４７に取り付けられたことを検知し、増設検知信号を出力するものである。
【００８３】
スイッチング素子４８は、送信回路４３及び内蔵アンテナ４４間の給電線上には設けられているものであり、増設検知センサ４７ａから増設検知信号が与えられたときに開動作するものである。
【００８４】
以上のような構成を有する第３の実施形態のリモコン送信機４０は、基本的には、外付アンテナユニット５０が設けられずに、アンテナとして内蔵アンテナ４７だけを利用するものである。
【００８５】
ここで、当該リモコン送信機４０からの送信能力を高めたい要求があった場合や、また、使用していて送信能力を高めたい要求が生じた場合などには、外付アンテナユニット５０がアンテナ増設用コネクタ４７に取り付けられる。
【００８６】
このとき、増設検知センサ４７ａが、外付アンテナユニット５０が取り付けられたことを検知して増設検知信号を出力し、その検知信号を制御端子に受けたスイッチング素子４８が開放動作して、内蔵アンテナ４４を送信回路４３から切り離す。これにより、内蔵アンテナ４４に代えて外付アンテナユニット５０が有効となり、送信回路４３からの無線送信信号が外付アンテナユニット５０に与えられ、外付アンテナユニット５０だけが送信電波を放射させる。
【００８７】
第３の実施形態のリモコン送信機によれば、アンテナ増設用コネクタ４７を備えているので、外付アンテナユニット５０を増設することにより、リモコン送信機及びリモコン受信機間の交信能力の向上要求に簡易に応えることができる。
【００８８】
また、外付アンテナユニット５０を取り付けた際には、内蔵アンテナ４４を有効でなくしたので、外付アンテナユニット５０からの放射処理に、内蔵アンテナ４４からの放射処理が影響を与えることを防止し得る。
【００８９】
（Ｄ）他の実施形態
（Ｄ−１）上記第３の実施形態では、内蔵アンテナ４４を送信回路４３から切り離す構成が電気的要素によるものであったが、機構的要素による切り離し構成（図１参照）を適用しても良いことは勿論である。
【００９０】
（Ｄ−２）上記各実施形態では、増設し得るアンテナ数（アンテナ増設用コネクタ数）が１個のものを示したが、複数を増設可能なものであっても良い。この場合において、増設アンテナが１個でも増設されたときに、常設アンテナ（上記各実施形態では内蔵アンテナの例）を切り離すようにしても良い。常設アンテナ数も１個に限定されるものではない。この場合において、常設アンテナとそれに置き換えることができる増設アンテナの組を規定しておき、増設アンテナが増設されたときに、それと組をなす常設アンテナを切り離すようにしても良い。
【００９１】
（Ｄ−３）上記各実施形態では、常設アンテナが内蔵アンテナ、増設アンテナが外付アンテナを示したが、常設アンテナも外付アンテナであっても良く、増設アンテナも通信装置の筐体内部に設けられる内蔵アンテナであっても良い。
【００９２】
（Ｄ−４）上記各実施形態では、増設アンテナが増設されたときに、常設アンテナを常に切り離すものを示したが、切り離すか否かをも、ディップスイッチなどを用いてオペレータが指示できるようにしても良い。例えば、ディップスイッチの位置によって、増設検知センサ及びスイッチング素子間の導通、非導通を制御する第２のスイッチング素子などを設ければ良い。
【００９３】
この場合において、増設アンテナ及び常設アンテナが共に有効な並列状態においては、ダイバーシティ処理を行うようにすることが好ましく、並列状態において、交信特性が悪ければ、オペレータがディップスイッチなどを用いて増設アンテナだけを有効化すれば良い。
【００９４】
（Ｄ−５）上記第３の実施形態では、リモコン送信機において、増設アンテナが設けられた場合に常設アンテナが通信に一切関与しないもの（通信を完全に無効とする）を示したが、増設アンテナが設けられたこと及び他の条件を満足する場合に、常設アンテナを用いた通信を無効とするようにしても良い。
【００９５】
例えば、増設アンテナの装着センサの出力を制御部に入力し、制御部が増設アンテナ又は常設アンテナのいずれを有効とするかの条件判定を行い、増設アンテナ経路のスイッチ又は常設アンテナ経路のスイッチを制御する。
【００９６】
（Ｄ−５−１）送信時
例えば、開閉装置に対する動作指示（開、閉、停止等）のうち、より遠隔からや、より確実性を増したいものについては増設アンテナを用い、そうでない通常の指示については常設アンテナを用いる。逆な観点で、通常は増設アンテナを用いるが、より狭い範囲でのみ有効とさせたい場合（例えば、ＩＤコード登録指示、高速開閉等の特殊な動作指示）には常設アンテナを用いる。
【００９７】
上述の動作指示について、どの場合に増設アンテナを用いるかは利用態様、目的等によって決定するようにしても良い。
【００９８】
（Ｄ−５−２）受信時
なお、リモコン受信機などからの信号の受信機能を有するリモコン送信機では、以下のような付加条件を付けても良い。
【００９９】
通常は増設アンテナを用いるが、例えば、セキュリティ確保の観点による、より詳細な情報（例えば、各部位の動作状態詳細情報、登録ＩＤコード通知情報、動作履歴情報、障害診断情報等）を制御部から受信するモードの場合等では常設アンテナを用いる。
【０１００】
（Ｄ−６）上記第１、第２の実施形態では、リモコン受信機において、増設アンテナが設けられた場合に常設アンテナが通信に一切関与しないもの（通信を完全に無効とする）を示したが、増設アンテナが設けられたこと及び他の条件を満足する場合に、常設アンテナを用いた通信を無効とするようにしても良い。
【０１０１】
例えば、増設アンテナの装着センサの出力を制御部に入力し、制御部が増設アンテナ又は常設アンテナのいずれを有効とするかの条件判定を行い、増設アンテナ経路のスイッチ又は常設アンテナ経路のスイッチを制御する。
【０１０２】
（Ｄ−６−１）受信時
例えば、昼間等、車両の交通量が多いときや工場稼動中等の理由でノイズ電波が多い可能性のある時間帯や、隔離や遮蔽等がなされて電波が届きにくい空間内におかれる可能性のある時間帯が予め分かっている場合には、増設アンテナを用いるようにする。このような制御は、あまり遠隔地からでも操作できるようになるのは好ましくなく、平均して受信可能範囲をほぼ同じにするのが好ましいような場合に特に有効である。
【０１０３】
（Ｄ−６−２）送信時
例えば、リモコン送信機からの指示に伴う通常の動作結果報告（指示動作開始、終了報告等）は増設アンテナを用いるが、例えば、セキュリティ確保の観点による、より詳細な情報（例えば、各部位の動作状態詳細情報、登録ＩＤコード通知情報、動作履歴情報、障害診断情報等）を送信する場合には常設アンテナを用いる。
【０１０４】
（Ｄ−７）特許請求の範囲における「通信処理を実行させない」とは、通信処理自体をなくしてしまったり、通信処理を行う制御指示の発生自体を妨げたり、通信処理実行指示を無視したり、通信処理を迂回したり、他の制御処理が通信処理の実行を阻止したりして、結果として通信処理を備えていない場合と同様の処理が行われるように構成していることを意味している。
【０１０５】
（Ｄ−８）上記各実施形態では、本発明をシャッターのリモコンシステムに適用したものを示したが、ドア、窓、オーバーヘッドドア、門扉、ゲート（駐車場などのゲート）、ロールスクリーン（例えば遮光膜）、ブラインド、オーニング装置など一般的に開閉体を制御する開閉装置のリモコンシステムに適用するようにしても良い。
【０１０６】
（Ｄ−９）上記各実施形態では、開閉体（シャッター）の制御のためのリモコンシステム（無線通信システム）に本発明を適用したものを示したが、開閉体に関連する他の無線通信システムの送信機や受信機に本発明を適用することができる。例えば、開閉体制御部側が保有する開閉動作に関する情報（開閉位置、開閉回数、開閉に関する障害物情報、障害物当接の有無等）を、保守者やリモコン操作者が所持する無線装置（リモコン送信機であっても良い）に送信して表示させるような通信システムにおける無線装置に対しても本発明を適用できる。なお、この場合の送信タイミング等は任意で良く（曜日や時間が定められていても良く、送信指示時でも良く）、また、送信側無線装置に対する送信起動は外部から有線系を介して与えられるものであっても良い。
【０１０７】
【発明の効果】
本発明の開閉装置の無線信号通信装置によれば、常設アンテナと、増設アンテナユニットを接続可能な１又は複数のアンテナ増設用コネクタと、全て又は一部のアンテナ増設用コネクタに増設アンテナユニットが接続されたときに、少なくとも常設アンテナを無効として常設アンテナを用いた通信処理を実行させないアンテナ制限手段とを有するので、アンテナ増設用コネクタに増設アンテナユニットに接続することにより、交信能力に対する変更要求にも簡易に応じられ、また、増設アンテナユニットを用いた通信処理に、常設アンテナの存在が影響を与えることを防止し得る。
【図面の簡単な説明】
【図１】第１の実施形態のリモコン受信機の構成を示すブロック図である。
【図２】第１の実施形態の復調回路内に２個のアンテナとの接続構成を示す説明図である。
【図３】第２の実施形態のリモコン受信機の構成を示すブロック図である。
【図４】第３の実施形態のリモコン送信機の構成を示すブロック図である。
【図５】従来のリモコンシステムを示すブロック図である。
【符号の説明】
２０、２０Ａ…リモコン受信機、
２１、４４…内蔵アンテナ（常設アンテナ）、
２２…復調回路、
２６、４７…アンテナ増設用コネクタ、
２６ａ…可動部材、
２６ｂ、４７ａ…増設検知センサ、
２８…開閉部材、
２８ａ、４８…スイッチング素子、
３０、５０…外付アンテナユニット（増設アンテナユニット）、
４０…リモコン送信機、
４３…送信回路。
【図１】
0004632579.tif 000002
【図２】
0004632579.tif 000003
【図３】
0004632579.tif 000004
【図４】
0004632579.tif 000005
【図５】
0004632579.tif 000006